(57)【要約】      （修正有）【課題】複数のシステムのページングを受信するために使用される不連続受信（ＤＲＸ）サイクルを判断するための技術を提供する。【解決手段】ユーザ機器（ＵＥ）１１０は第１のネットワーク（たとえば、コアネットワーク１３０）がＵＥをページングするために使用する第１のＤＲＸサイクルと第２のネットワーク（たとえば、ＲＡＮ）がＵＥをページングするために使用する第２のＤＲＸサイクルとを有する。ＵＥは、バッテリー寿命を延長するためにより長いＤＲＸサイクルを使用し、許可される場合はより短いＤＲＸサイクルを無視することができる。ＵＥは第２のＤＲＸサイクルを無視することができるかまたは考慮すべきであるかの指示を受信する。ＵＥはＤＲＸサイクルをネットワークとネゴシエートする。【選択図】図３Ａ
2014222883.tif 000002
【特許請求の範囲】
【請求項１】
ユーザ機器（ＵＥ）をページングするために第１のネットワークによって使用される第１の不連続受信（ＤＲＸ）サイクルを判断することと、
前記ＵＥをページングするために第２のネットワークによって使用される第２のＤＲＸサイクルを判断することと、
前記第１のＤＲＸサイクルがより長いＤＲＸサイクルであるか、前記第２のＤＲＸサイクルがより長いＤＲＸサイクルであるかを判断することと、
前記より長いＤＲＸサイクルに基づいて、前記第１のネットワーク、または第２のネットワーク、あるいは前記第１のネットワークと前記第２のネットワークの両方からページングを受信することと
を備える、ワイヤレス通信のための方法。
【請求項２】
前記第１のネットワークがコアネットワークであり、前記第２のネットワークが無線アクセスネットワーク（ＲＡＮ）である、請求項１に記載の方法。
【請求項３】
前記第１のＤＲＸサイクルが、前記第１のネットワークによって特に前記ＵＥのために使用され、前記第２のＤＲＸサイクルが、前記第２のネットワークによって前記第２のネットワークのカバレージ内のすべてのＵＥのために使用される、請求項１に記載の方法。
【請求項４】
前記ＵＥが前記第２のＤＲＸサイクルを無視することができるかまたは考慮すべきであるかの指示を受信することと、
前記第２のＤＲＸサイクルが、前記ＵＥによって無視でき、前記第１のＤＲＸサイクルよりも短い場合、前記より長いＤＲＸサイクルを使用することと
をさらに備える、請求項１に記載の方法。
【請求項５】
ページングを前記受信することは、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信することを備える、請求項４に記載の方法。
【請求項６】
提案されたＤＲＸサイクルを備える第１のメッセージを前記第１のネットワークに送信することと、
前記第１のネットワークから、前記指示を備える第２のメッセージを受信することと
をさらに備える、請求項４に記載の方法。
【請求項７】
前記第２のメッセージは、前記提案されたＤＲＸサイクルが前記第１のＤＲＸサイクルとして受け付けられることを示すか、または前記第１のＤＲＸサイクルとして使用されるべき受け付けられたＤＲＸサイクルを含む、請求項６に記載の方法。
【請求項８】
提案されたＤＲＸサイクルを備える第１のメッセージを前記第１のネットワークに送信することと、
前記第１のメッセージに応答して前記第１のネットワークによって送信された第２のメッセージを受信することであって、前記第２のメッセージは、前記第２のＤＲＸサイクルが前記ＵＥによって考慮されるべきであることを暗黙的に伝えるために、フィードバックを備えない、受信することと
をさらに備える、請求項４に記載の方法。
【請求項９】
ユーザ機器（ＵＥ）をページングするために第１のネットワークによって使用される第１の不連続受信（ＤＲＸ）サイクルを判断するための手段と、
前記ＵＥをページングするために第２のネットワークによって使用される第２のＤＲＸサイクルを判断するための手段と、
前記第１のＤＲＸサイクルがより長いＤＲＸサイクルであるか、前記第２のＤＲＸサイクルがより長いＤＲＸサイクルであるかを判断するための手段と、
前記より長いＤＲＸサイクルに基づいて、前記第１のネットワーク、または第２のネットワーク、あるいは前記第１のネットワークと前記第２のネットワークの両方からページングを受信するための手段と
を備える、ワイヤレス通信のための装置。
【請求項１０】
前記ＵＥが前記第２のＤＲＸサイクルを無視することができるかまたは考慮すべきであるかの指示を受信するための手段と、
前記第２のＤＲＸサイクルが、前記ＵＥによって無視でき、前記第１のＤＲＸサイクルよりも短い場合、前記より長いＤＲＸサイクルを使用するための手段と
をさらに備える、請求項９に記載の装置。
【請求項１１】
ページングを前記受信するための手段は、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信するための手段を備える、請求項１０に記載の装置。
【請求項１２】
提案されたＤＲＸサイクルを備える第１のメッセージを前記第１のネットワークに送信するための手段と、
前記第１のネットワークから前記指示を備える第２のメッセージを受信するための手段であって、前記指示は、前記ＵＥが前記第２のＤＲＸサイクルを無視することができるという明示的指示、または前記ＵＥが前記第２のＤＲＸサイクルを考慮すべきであるという明示的指示、または前記ＵＥが前記第２のＤＲＸサイクルを考慮すべきであるという暗黙的指示である、受信するための手段と
をさらに備える、請求項１０に記載の装置。
【請求項１３】
ユーザ機器（ＵＥ）をページングするために第１のネットワークによって使用される第１の不連続受信（ＤＲＸ）サイクルを判断し、前記ＵＥをページングするために第２のネットワークによって使用される第２のＤＲＸサイクルを判断し、前記第１のＤＲＸサイクルがより長いＤＲＸサイクルであるか前記第２のＤＲＸサイクルがより長いＤＲＸサイクルであるかを判断し、前記より長いＤＲＸサイクルに基づいて、前記第１のネットワーク、または前記第２のネットワーク、あるいは前記第１のネットワークと前記第２のネットワークの両方からページングを受信するように構成された少なくとも１つのプロセッサを備える、ワイヤレス通信のための装置。
【請求項１４】
前記少なくとも１つのプロセッサが、前記ＵＥが前記第２のＤＲＸサイクルを無視することができるかまたは考慮すべきであるかの指示を受信し、前記第２のＤＲＸサイクルが、前記ＵＥによって無視でき、前記第１のＤＲＸサイクルよりも短い場合、前記より長いＤＲＸサイクルを使用するように構成された、請求項１３に記載の装置。
【請求項１５】
前記少なくとも１つのプロセッサは、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信するように構成された、請求項１４に記載の装置。
【請求項１６】
前記少なくとも１つのプロセッサが、提案されたＤＲＸサイクルを備える第１のメッセージを前記第１のネットワークに送信し、前記第１のネットワークから前記指示を備える第２のメッセージを受信するように構成され、前記指示は、前記ＵＥが前記第２のＤＲＸサイクルを無視することができるという明示的指示、または前記ＵＥが前記第２のＤＲＸサイクルを考慮すべきであるという明示的指示、あるいは前記ＵＥが前記第２のＤＲＸサイクルを考慮すべきであるという暗黙的指示である、請求項１４に記載の装置。
【請求項１７】
少なくとも１つのコンピュータに、ユーザ機器（ＵＥ）をページングするために第１のネットワークによって使用される第１の不連続受信（ＤＲＸ）サイクルを判断させるためのコードと、
前記少なくとも１つのコンピュータに、前記ＵＥをページングするために第２のネットワークによって使用される第２のＤＲＸサイクルを判断させるためのコードと、
前記少なくとも１つのコンピュータに、前記第１のＤＲＸサイクルがより長いＤＲＸサイクルであるか、前記第２のＤＲＸサイクルがより長いＤＲＸサイクルであるかを判断させるためのコードと、
前記少なくとも１つのコンピュータに、前記より長いＤＲＸサイクルに基づいて、前記第１のネットワーク、または第２のネットワーク、あるいは前記第１のネットワークと前記第２のネットワークの両方からページングを受信させるためのコードと
を備えるコンピュータ可読媒体
を備えるコンピュータプログラム製品。
【請求項１８】
ユーザ機器（ＵＥ）から第１のメッセージを受信することであって、前記ＵＥは、前記ＵＥをページングするために第１のネットワークによって使用される第１の不連続受信（ＤＲＸ）サイクルと、前記ＵＥをページングするために第２のネットワークによって使用される第２のＤＲＸサイクルとを有する、受信することと、
前記ＵＥが前記第２のＤＲＸサイクルを無視することができるかまたは考慮すべきであるかの指示を判断することと、
前記指示を備える第２のメッセージを前記ＵＥに送信することと
を備える、ワイヤレス通信のための方法。
【請求項１９】
前記第１のネットワークがコアネットワークであり、前記第２のネットワークが無線アクセスネットワーク（ＲＡＮ）である、請求項１８に記載の方法。
【請求項２０】
前記第１のメッセージが前記第１のネットワークによって受信され、前記第２のメッセージが前記第１のネットワークによって送信される、請求項１８に記載の方法。
【請求項２１】
ユーザ機器（ＵＥ）から第１のメッセージを受信するための手段であって、前記ＵＥは、前記ＵＥをページングするために第１のネットワークによって使用される第１の不連続受信（ＤＲＸ）サイクルと、前記ＵＥをページングするために第２のネットワークによって使用される第２のＤＲＸサイクルとを有する、受信するための手段と、
前記ＵＥが前記第２のＤＲＸサイクルを無視することができるかまたは考慮すべきであるかの指示を判断するための手段と、
前記指示を備える第２のメッセージを前記ＵＥに送信するための手段と
を備える、ワイヤレス通信のための装置。
【請求項２２】
提案された不連続受信（ＤＲＸ）サイクルをユーザ機器（ＵＥ）から第１のネットワークに送信することと、
前記提案されたＤＲＸサイクルが前記第１のネットワークによって受け付けられるかまたは受け付けられないかの指示を受信することと、
前記指示に基づいて、前記ＵＥがページングを受信するために使用すべきＤＲＸサイクルを判断することと
を備える、ワイヤレス通信のための方法。
【請求項２３】
前記ＵＥをページングするために第２のネットワークによって使用される第２のＤＲＸサイクルを判断することであって、前記ＵＥが使用すべき前記ＤＲＸサイクルが、前記第２のＤＲＸサイクルにさらに基づいて判断される、判断すること
をさらに備える、請求項２２に記載の方法。
【請求項２４】
前記第１のネットワークがコアネットワークであり、前記第２のネットワークが無線アクセスネットワーク（ＲＡＮ）である、請求項２３に記載の方法。
【請求項２５】
前記ＵＥが使用すべき前記ＤＲＸサイクルは、前記提案されたＤＲＸサイクルが前記第１のネットワークによって受け付けられない場合、前記第２のＤＲＸサイクルである、請求項２３に記載の方法。
【請求項２６】
前記ＵＥが使用すべきＤＲＸサイクルは、前記提案されたＤＲＸサイクルが前記第１のネットワークによって受け付けられた場合、前記提案されたＤＲＸサイクルに基づいて判断される、請求項２２に記載の方法。
【請求項２７】
前記指示を前記受信することが、前記第１のネットワークから受け付けられたＤＲＸサイクルを受信することを備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項２２に記載の方法。
【請求項２８】
前記指示を前記受信することが、前記第１のネットワークから、前記提案されたＤＲＸサイクルについてのフィードバックを受信しないことを備え、前記フィードバックがないことは、前記提案されたＤＲＸサイクルが前記第１のネットワークによって受け付けられないことを暗黙的に示す、請求項２２に記載の方法。
【請求項２９】
提案された不連続受信（ＤＲＸ）サイクルをユーザ機器（ＵＥ）から第１のネットワークに送信するための手段と、
前記提案されたＤＲＸサイクルが前記第１のネットワークによって受け付けられたかまたは受け付けられないかの指示を受信するための手段と、
前記指示に基づいて、前記ＵＥがページングを受信するために使用すべきＤＲＸサイクルを判断するための手段と
を備える、ワイヤレス通信のための装置。
【請求項３０】
前記ＵＥをページングするために第２のネットワークによって使用される第２のＤＲＸサイクルを判断するための手段であって、前記ＵＥが使用すべき前記ＤＲＸサイクルが、前記第２のＤＲＸサイクルにさらに基づいて判断される、判断するための手段をさらに備える、請求項２９に記載の装置。
【請求項３１】
前記ＵＥが使用すべき前記ＤＲＸサイクルは、前記提案されたＤＲＸサイクルが前記第１のネットワークによって受け付けられない場合、前記第２のＤＲＸサイクルである、請求項３０に記載の装置。
【請求項３２】
前記ＵＥが使用すべき前記ＤＲＸサイクルは、前記提案されたＤＲＸサイクルが前記第１のネットワークによって受け付けられた場合、前記提案されたＤＲＸサイクルに基づいて判断される、請求項２９に記載の装置。
【請求項３３】
前記指示を前記受信するための手段が、前記第１のネットワークから受け付けられたＤＲＸサイクルを受信するための手段を備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項２９に記載の装置。
【発明の詳細な説明】
【技術分野】
【０００１】
本出願は、本発明の譲受人に譲渡され、参照により本明細書に組み込まれる、２００８年１１月１８日に出願された「A METHOD AND APPARATUS FOR DRX CYCLE DETERMINATION」と題する米国仮出願第６１／１１５，８４８号の優先権を主張する。
【０００２】
本開示は、一般に通信に関し、より詳細には、ユーザ機器（ＵＥ）がページングを受信するために使用すべき不連続受信（ＤＲＸ）サイクルを判断するための技術に関する。
【背景技術】
【０００３】
ワイヤレス通信ネットワーク中のＵＥ（たとえば、セルラーネットワーク中のセルラー電話）は、所与の瞬間において、アイドルモードまたは接続モードなど、いくつかのモードのうちの１つで動作し得る。接続モードでは、ＵＥは、たとえば、ボイス呼またはデータ呼のために、データを１つまたは複数の基地局とアクティブに交換し得る。アイドルモードでは、ＵＥは、バッテリー電力を温存するために大部分の時間は電源切断し、ＵＥに適用可能なページングメッセージを監視するために周期的に起動し得る。ページングメッセージは、着呼の存在についてＵＥに警報を出し、および／または他の情報を提供することができる。
【０００４】
ＵＥは、ＤＲＸサイクルに基づいてページングメッセージを周期的に監視することができる。ＤＲＸサイクルは、ＵＥがページングメッセージを監視すべきときと、バッテリー電力を節約するためにＵＥが電源切断し得るときとを示すことができる。ＤＲＸサイクルが長すぎる場合、ＵＥにページングメッセージを送信する際に長い遅延があり得る。逆に、ＤＲＸサイクルが短すぎる場合、ＵＥは、非常に頻繁にページングメッセージを監視し、非常に多くのバッテリー電力を消費し得る。ＵＥについて適切なＤＲＸサイクルを判断することが望ましいことがある。
【発明の概要】
【０００５】
ＵＥがページングを受信するために使用すべきＤＲＸサイクルを判断するための技術について、本明細書で説明する。ＵＥは、（ｉ）第１のネットワーク（たとえば、コアネットワーク）がＵＥをページングするために使用する第１のＤＲＸサイクルと、（ｉｉ）第２のネットワーク（たとえば、無線アクセスネットワーク（ＲＡＮ））がＵＥをページングするために使用する第２のＤＲＸサイクルとを有することができる。各ネットワークのＤＲＸサイクルは、そのネットワークについてのページングの要件に基づいて判断され得る。第１のＤＲＸサイクルは、第２のＤＲＸサイクルの持続時間／長さとは異なる（たとえば、より長い）持続時間／長さを有することができる。
【０００６】
一態様では、ＵＥは、バッテリー寿命を延長し、および／または他の利益を得るために、より長いＤＲＸサイクルを使用することができ、許可される場合は、より短いＤＲＸサイクルを無視することができる。１つの設計では、ＵＥは、ＵＥが第２のＤＲＸサイクルを無視することができるかまたは考慮すべきであるかの指示を受信することができる。この指示は、第１のネットワークまたは第２のネットワークから来ることがある。第２のＤＲＸサイクルが、ＵＥによって無視でき、第１のＤＲＸサイクルよりも短い場合、ＵＥは、より長いＤＲＸサイクルを使用することができる。ＵＥは、より長いＤＲＸサイクルに基づいて第１のネットワークおよび／または第２のネットワークからページングを受信することができる。
【０００７】
別の態様では、ＵＥは、ＵＥとネットワークの両方がＤＲＸサイクルをサポートすることができることを保証し、ＵＥとネットワークとの間の非同期化を回避するために、ＤＲＸサイクルをネットワーク（たとえば、コアネットワーク）とネゴシエートすることができる。１つの設計では、ＵＥは、提案されたＤＲＸサイクルをネットワークに送信し、提案されたＤＲＸサイクルがネットワークによって受け付けられるかまたは受け付けられないかの指示を受信することができる。ＵＥはまた、提案されたＤＲＸサイクルに一致することも一致しないこともある受け付けられたＤＲＸサイクルをネットワークから受信することができる。ＵＥは、ページングを受信するために使用すべきＤＲＸサイクルを、（ｉ）提案されたＤＲＸサイクルがネットワークによって受け付けられた場合は、提案されたＤＲＸサイクル、（ｉｉ）受け付けられたＤＲＸサイクルがネットワークから受信された場合は、受け付けられたＤＲＸサイクル、または（ｉｉｉ）提案されたＤＲＸサイクルが受け付けられず、受け付けられたＤＲＸサイクルが受信されない場合は、別のネットワーク（たとえば、ＲＡＮ）についての別のＤＲＸサイクルに基づいて判断し得る。
【０００８】
本開示の様々な態様および特徴について以下でさらに詳細に説明する。
【図面の簡単な説明】
【０００９】
【図１】ワイヤレス通信ネットワークを示す図。
【図２】ＵＥのＲＡＮおよびコアネットワークについての例示的なＤＲＸサイクルを示す図。
【図３Ａ】ＵＥがＲＡＮからのＤＲＸサイクルを無視することができるかどうかを制御するためのメッセージフローを示す図。
【図３Ｂ】ＵＥがＲＡＮからのＤＲＸサイクルを無視することができるかどうかを制御するためのメッセージフローを示す図。
【図４Ａ】ＤＲＸサイクルをネゴシエートするためのメッセージフローを示す図。
【図４Ｂ】ＤＲＸサイクルをネゴシエートするためのメッセージフローを示す図。
【図５】ＵＥがページングを受信するためのプロセスを示す図。
【図６】ＵＥがページングを受信するための装置を示す図。
【図７】ネットワークによるページングをサポートするためのプロセスを示す図。
【図８】ネットワークによるページングをサポートするための装置を示す図。
【図９】ＤＲＸサイクルをネゴシエートするためのプロセスを示す図。
【図１０】ＤＲＸサイクルをネゴシエートするための装置を示す図。
【図１１】ＵＥおよび２つのネットワークエンティティのブロック図。
【発明を実施するための形態】
【００１０】
本明細書で説明する技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技術は、上記のワイヤレスネットワークおよび無線技術、ならびに他のワイヤレスネットワークおよび無線技術に使用できる。明快のために、本技術のいくつかの態様について以下ではＬＴＥに関して説明し、以下の説明の大部分でＬＴＥ用語を使用する。
【００１１】
図１は、ワイヤレス通信ネットワーク１００を示しており、これはＬＴＥネットワークまたは何らかの他のワイヤレスネットワークとすることができる。ワイヤレスネットワーク１００は、ＲＡＮ１２０とコアネットワーク（ＣＮ）１３０とを含む。ＲＡＮ１２０は、そのカバレージエリア内でＵＥのための無線通信をサポートし、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）またはＥｖｏｌｖｅｄ  ＵＴＲＡＮ（Ｅ−ＵＴＲＡＮ）とも呼ばれる。コアネットワーク１３０は、ＵＥのための様々なサービスをサポートする。
【００１２】
ＲＡＮ１２０は、いくつかの進化型ノードＢ（ｅＮＢ）および場合によっては他のネットワークエンティティを含むことができる。簡単のために、図１にはＲＡＮ１２０についてただ１つのｅＮＢ１２２を示してある。ｅＮＢ１２２は、ＵＥと通信する局とすることができ、ノードＢ、基地局、アクセスポイントなどとも呼ばれる。コアネットワーク１３０は、３ＧＰＰによって説明されている様々なネットワークエンティティを含むことができる。簡単のために、図１には、コアネットワーク１３０についてただ１つのサービングゲートウェイ１３２とただ１つのモビリティ管理エンティティ（ＭＭＥ）１３４とを示してある。サービングゲートウェイ１３２は、パケットデータ、ボイスオーバインターネットプロトコル（ＶｏＩＰ）、ビデオ、メッセージングなどのデータサービスをサポートすることができる。ＭＭＥ１３４は、モビリティ管理およびハンドオーバにおけるｅＮＢ間の経路切替えを担当することができる。ＭＭＥ１３４はまた、コアネットワーク１３０についてページングを実行することができる。サービングゲートウェイ１３２およびＭＭＥ１３４は、他のエンティティ、たとえば、リモートサーバおよび端末と通信することができる。
【００１３】
図１に、ＬＴＥネットワーク中に存在し得る、いくつかのネットワークエンティティを示す。他のワイヤレスネットワークは、等価なネットワークエンティティを含むことができる。たとえば、ＵＴＲＡＮをサポートするＷＣＤＭＡは、（ｅＮＢの代わりに）無線ネットワークコントローラ（ＲＮＣ）に結合されたノードＢを含むことができる。ＵＭＴＳのためのコアネットワークは、モバイル交換センター（ＭＳＣ）と、サービングＧＰＲＳサポートノード（ＧＧＳＮ）と、（サービングゲートウェイおよびＭＭＥの代わりに）ゲートウェイＧＰＲＳサポートノード（ＧＧＳＮ）とを含むことができる。
【００１４】
ＵＥ１１０は、ＲＡＮ１３０中のｅＮＢ１２２と通信することができ、またコアネットワーク１３０中のサービングゲートウェイ１３２およびＭＭＥ１３４と通信することができる。ＵＥ１１０は、下位レイヤシグナリングを介してＲＡＮ１２０中のネットワークエンティティと通信することができ、上位レイヤシグナリング、たとえばＵＭＴＳおよびＬＴＥ中のＮｏｎ  Ａｃｃｅｓｓ  Ｓｔｒａｔｕｍ（ＮＡＳ）シグナリングを介してコアネットワーク１３０中のネットワークエンティティと通信することができる。ＵＥ１１０は、移動局、端末、アクセス端末、加入者ユニット、局などとも呼ばれることがある。ＵＥ１１０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができる。
【００１５】
ＵＭＴＳおよびＬＴＥでは、ＵＥ１１０は、たとえば、アタッチプロシージャまたは追跡エリア更新プロシージャ中に、ＮＡＳシグナリングを介してページングＤＲＸサイクルをコアネットワーク１３０に示すことができる。このページングＤＲＸサイクルは、ＣＮ  ＤＲＸサイクルと呼ばれることがあり、ＵＥ１１０に固有であり得る。この機構は、ＵＥ１１０が受けている特定のサービス、ＵＥ１１０の特定のデバイスタイプ、および／または他のファクタに応じて、ＵＥ１１０がＣＮ  ＤＲＸサイクルを変更することを可能にし得る。コアネットワーク１３０は、ＣＮ  ＤＲＸサイクルによって判断される時間間隔でページングメッセージをＵＥ１１０に送信し得る。これらのページングメッセージは、着呼についてＵＥ１１０に警報を出すことができ、および／または他の目的のために使用できる。
【００１６】
ＲＡＮ１２０はまた、ＲＡＮ１２０のカバレージ内のすべてのＵＥに適用可能であり得るページングＤＲＸサイクルを有することができる。このページングＤＲＸサイクルは、ＲＡＮ  ＤＲＸサイクルと呼ばれることがある。ＲＡＮ１２０は、ＲＡＮ  ＤＲＸサイクルについてのパラメータをシステム情報中でＵＥにブロードキャストすることができる。ＲＡＮ１２０は、ＲＡＮ  ＤＲＸサイクルによって判断される時間間隔でページングメッセージをそのＵＥに送信し得る。これらのページングメッセージは、システム情報の変更についてＵＥに警報を出すことができ、および／または他の目的のために使用できる。
【００１７】
ＵＥ１１０は、コアネットワーク１３０についてのＣＮ  ＤＲＸサイクル、ならびにＲＡＮ１２０についてのＲＡＮ  ＤＲＸサイクルを有することができる。一般に、ＣＮ  ＤＲＸサイクルは、ＲＡＮ  ＤＲＸサイクルと同じであることも、異なることもある。ＣＮ  ＤＲＸサイクルがＲＡＮ  ＤＲＸサイクルとは異なる場合、ＵＥ１１０はＣＮ  ＤＲＸサイクルとＲＡＮ  ＤＲＸサイクルのうちの短い方を使用することができる。各ネットワーク（たとえば、ＲＡＮまたはコアネットワーク）についてのＤＲＸサイクルは、ページングについての所望の信頼性および遅延要件に基づいてそのネットワークによって判断され得る。ＵＥ１１０がより短いＤＲＸサイクルを使用することにより、ＲＡＮ１２０とコアネットワーク１３０の両方の要件を満たすことができることを保証する。
【００１８】
図２に、ＵＥ１１０についての例示的なＣＮ  ＤＲＸサイクルおよび例示的なＲＡＮ  ＤＲＸサイクルを示す。ＲＡＮ  ＤＲＸサイクルは、ＲＡＮ１２０によって定義できる、特定の全持続時間および特定のオンの持続時間を有することができる。ＵＥ１１０は、ＲＡＮ  ＤＲＸサイクルのオンの持続時間中にＲＡＮ１２０からのページングメッセージをリッスンすることができる。バッテリー電力を温存するために、ＵＥ１１０は、実行すべき他のタスクがない場合、ＲＡＮ  ＤＲＸサイクルの残りの持続時間中に電源切断し得る。ＣＮ  ＤＲＸサイクルはまた、ＵＥ１１０によって定義でき、コアネットワーク１３０に提供できる、特定の全持続時間および特定のオンの持続時間を有することができる。ＵＥ１１０は、ＣＮ  ＤＲＸサイクルのオンの持続時間中にコアネットワーク１３０からのページングメッセージをリッスンすることができる。バッテリー電力を温存するために、実行すべき他のタスクがない場合は、ＵＥ１１０はＣＮ  ＤＲＸサイクルの残りの持続時間中に電源切断し得る。
【００１９】
図２に示す例では、ＣＮ  ＤＲＸサイクルは、ＲＡＮ  ＤＲＸサイクルよりも４倍長い。その場合、ＵＥ１１０は、ＲＡＮ１２０とコアネットワーク１３０の両方の要件を満たすために、図２に示すように、より長いＣＮ  ＤＲＸサイクルではなくより短いＲＡＮ  ＤＲＸサイクルを使用することができる。
【００２０】
いくつかの適用例では、より長いＤＲＸサイクルが望ましいことがある。たとえば、ＵＥ１１０は、１つまたは複数の他のデバイスとデータを交換するために、非常にまれに機械間通信を行うことができるセンサデバイスであり得る。より長いＤＲＸサイクルは、ＵＥ１１０が時間のより大きい割合の間スリープすることを可能にすることができ、それはＵＥ１１０のバッテリー寿命を延長することができる。しかしながら、ＲＡＮ  ＤＲＸサイクルは、一般にＲＡＮのための妥当なレベルの信頼性を達成するには短いので（たとえば、秒のオーダー）、より長いＤＲＸサイクルは上記のページング機構では可能でないことがある。ＵＥ１１０が所望するより長いＤＲＸサイクルは、分、または時間、あるいはさらに日のオーダーであり得る。
【００２１】
一態様では、図２の下部に示すように、ＵＥ１１０は、より長いＣＮ  ＤＲＸサイクルを使用することができ、該当する場合、より短いＲＡＮ  ＤＲＸサイクルを無視することができる。たとえば、ネットワーク事業者とユーザとの間に、ＵＥ１１０がＲＡＮ  ＤＲＸサイクルを無視することを許可し得るというサービス契約／協定があり得る。別の例として、ＵＥ１１０は、ＲＡＮ  ＤＲＸサイクルによって達成されるのと同様の目的を達成するための回避方法を実装することが可能であり得る。いずれの場合も、ＵＥ１１０は、より長いＣＮ  ＤＲＸサイクルを使用し、より短いＲＡＮ  ＤＲＸサイクルを無視することによって、バッテリー寿命を延長し、および／または他の利益を得ることが可能であり得る。
【００２２】
一般に、ＲＡＮ  ＤＲＸサイクルは、無視することの結果が知られている場合は無視できる。たとえば、ＲＡＮ１２０およびコアネットワーク１３０上のネットワーク事業者によるネットワークアーキテクチャの設計は、不利な結果に遭遇することなしにＲＡＮ  ＤＲＸサイクルを無視することを許可し得る。しかしながら、ＲＡＮ１２０とコアネットワーク１３０とがそれらのＤＲＸサイクルを独立して処理することができる場合があり得る。各ネットワークは、他のネットワークのためのＤＲＸサイクルの持続時間にかかわらず、そのネットワークの信頼性要件はそのネットワークのためのＤＲＸサイクルを用いて達成できると仮定することができる。この独立した動作は、ＵＭＴＳおよびＬＴＥネットワークの多くの展開において真であり得る。これらの場合、ＵＥ１１０がＲＡＮ  ＤＲＸサイクルを無視することができるかどうかを制御することが望ましいことがある。
【００２３】
図３Ａに、ＵＥ１１０がＲＡＮ  ＤＲＸサイクルを無視することができるかどうかを制御するためのメッセージフロー３００の設計を示す。ＵＥ１１０は、接続プロシージャのためにコアネットワーク１３０に接続要求メッセージを送信する（ステップ１）。このメッセージは、ＵＥ１１０によって提案されたＣＮ  ＤＲＸサイクルを含むことができる。コアネットワーク１３０は、ＵＥ１１０から接続要求メッセージを受信し、ＵＥがＲＡＮ  ＤＲＸサイクルを無視することができると判断する。次いで、コアネットワーク１３０は接続受付けメッセージをＵＥ１１０に返す（ステップ２）。このメッセージは、ＵＥがＲＡＮ  ＤＲＸサイクルを無視することができるという指示を含むことができる。１つの設計では、指示は、（ｉ）存在する場合、ＵＥ１１０がＲＡＮ  ＤＲＸサイクルを無視することができることを示し、または（ｉｉ）省略された場合、ＵＥ１１０がＲＡＮ  ＤＲＸサイクルを考慮すべきであることを示すフラグ用いて実装できる。指示はまた、パラメータ、フィールド、ビットなど用いて実装できる。ＵＥ１１０は、接続受付けメッセージを受信し、指示を抽出する。ＵＥ１１０は、提案されたＣＮ  ＤＲＸサイクルを使用し、受信された指示に基づいてＲＡＮ  ＤＲＸサイクルを無視する（ステップ３）。
【００２４】
図３Ｂに、ＵＥ１１０がＲＡＮ  ＤＲＸサイクルを無視することができるかどうかを制御するためのメッセージフロー３１０の設計を示す。ＵＥ１１０は、提案されたＣＮ  ＤＲＸサイクルをもつ接続要求メッセージをコアネットワーク１３０に送信する（ステップ１）。コアネットワーク１３０は、接続要求メッセージを受信し、ＵＥ１１０がＲＡＮ  ＤＲＸサイクルを無視すべきではないと判断する。次いで、コアネットワーク１３０は、ＵＥ  １１０がＲＡＮ  ＤＲＸサイクルを無視すべきではないという指示（たとえば、フラグなし）をもつ接続受付けメッセージを返す（ステップ２）。ＵＥ１１０は、接続受付けメッセージを受信し、指示を得る。次いで、ＵＥ１１０は、ページングの受信にどのＤＲＸサイクルを使用すべきであるかを判断するために、ＲＡＮ  ＤＲＸサイクルと提案されたＣＮ  ＤＲＸサイクルの両方を考慮する（ステップ３）。
【００２５】
図３Ａおよび図３Ｂは、ＵＥ１１０が接続受付けメッセージ中のＲＡＮ  ＤＲＸサイクルを無視することができるかどうかの指示をコアネットワーク１３０が返すことができる設計を示している。コアネットワーク１３０は、他のメッセージ中、たとえば、追跡エリア更新プロシージャおよび／または他のプロシージャのために使用されるＮＡＳメッセージ中で、この指示を送信することもできる。
【００２６】
図３Ａおよび図３Ｂは、ＵＥ１１０がＲＡＮ  ＤＲＸサイクルを無視することができるかどうかをコアネットワーク１３０が制御することができる設計を示している。コアネットワーク１３０は、一般に、ＲＡＮ  ＤＲＸサイクルについての知識を有し、ＲＡＮ  ＤＲＸサイクルを無視することができるかどうかを判断することが可能であり得る。コアネットワーク１３０は、この目的のために指示（たとえば、フラグ）を送信し得る。ＵＥ１１０は、コアネットワーク１３０からの指示（たとえば、フラグ）によって許可された場合のみ、ＲＡＮ  ＤＲＸサイクルを無視することができると判断し得る。ＵＥ１１０は、ＲＡＮ  ＤＲＸサイクルを無視すべきではないことがコアネットワーク１３０からの指示（たとえば、フラグなし）によって伝えられた場合、ＲＡＮ  ＤＲＸサイクルを無視すべきではないと判断し得る。レガシーコアネットワークは、指示をサポートすることができず、この指示なしに接続受付けメッセージを返すことがある。これらのレガシーコアネットワークは、接続受付けメッセージ中の指示を省略することによって、ＵＥがＲＡＮ  ＤＲＸサイクルを無視することを暗黙的に拒否することができる。
【００２７】
別の設計では、ＵＥ１１０がＲＡＮ  ＤＲＸサイクルを無視することができるかどうかをＲＡＮ１２０が制御することができる。ＵＥ１１０は、ＲＡＮ  ＤＲＸサイクルを無視せよという要求をもつメッセージを送信し得る。ＲＡＮ１２０は、ＵＥ１１０がＲＡＮ  ＤＲＸサイクルを無視することができるかどうかを判断し得る。ＲＡＮ１２０は、この判断を自律的に行うことができるか、またはこの判断を行うためにコアネットワーク１３０と通信することができる。いずれの場合も、ＲＡＮ１２０は、ＵＥ１１０がＲＡＮ  ＤＲＸサイクルを無視することができるかどうかを示すために、ＵＥ１１０に指示を送信し得る。ＵＥ１１０は、ＲＡＮ１２０から受信された指示に基づいて、ＲＡＮ  ＤＲＸサイクルを考慮または無視することができる。
【００２８】
さらに別の設計では、ＵＥ１１０がＲＡＮ  ＤＲＸサイクルを無視することができるかどうかを、ＵＥ１１０が判断し得る。ＵＥ１１０は、ＵＥ１１０がＲＡＮ  ＤＲＸサイクルを無視することができるかどうかの指示を用いて（たとえば、プロビジョニング段階において）事前設定できる。ＵＥ１１０はまた、ＵＥ１１０がＲＡＮ  ＤＲＸサイクルを無視することができるかどうかの指示を用いて（たとえば、無線シグナリングを介して）動的に構成できる。いずれの場合も、ＵＥ１１０は、ＵＥ１１０上で設定された指示に基づいて、ＲＡＮ  ＤＲＸサイクルを考慮または無視することができる。
【００２９】
レガシーコアネットワークは、ＣＮ  ＤＲＸサイクルの値の第１のセットをサポートすることができる古いプロトコルバージョンをサポートすることができる。新しいコアネットワークは、ＣＮ  ＤＲＸサイクルの値の第２のセットをサポートすることができる新しいプロトコルバージョンをサポートすることができる。第２のセットは、第１のセット中に含まれ得ない１つまたは複数のより大きい／延長された値を含むことができる。
【００３０】
ＵＥ１１０は、新しいプロトコルバージョンをサポートすることができ、ＣＮ  ＤＲＸサイクルの延長された値をコアネットワーク１３０がサポートするかどうかを知ることができない。ＵＥ１１０は、延長されたＣＮ  ＤＲＸサイクルをコアネットワーク１３０がサポートするかどうか知ることなしに、延長されたＣＮ  ＤＲＸサイクルを提案することがある。ＵＥ１１０が延長されたＣＮ  ＤＲＸサイクルを使用し、コアネットワーク１３０がそれをサポートしない場合、ＵＥ１１０とコアネットワーク１３０との間に非同期化が発生することがある。
【００３１】
別の態様では、ＵＥ１１０は、ＵＥ１１０とコアネットワーク１３０の両方がＣＮ  ＤＲＸサイクルをサポートすることができることを保証するために、ＣＮ  ＤＲＸサイクルをコアネットワーク１３０とネゴシエートすることができる。これにより、ＵＥ１１０とコアネットワーク１３０との間の非同期化を回避することができる。
【００３２】
図４Ａに、ＣＮ  ＤＲＸサイクルをネゴシエートするためのメッセージフロー４００の設計を示す。ＵＥ１１０は、提案されたＣＮ  ＤＲＸサイクルをもつ接続要求メッセージをコアネットワーク１３０に送信する（ステップ１）。コアネットワーク１３０は、接続要求メッセージを受信し、ＵＥ１１０からの提案されたＣＮ  ＤＲＸサイクルを受け付ける。代替的に、コアネットワーク１３０は、提案されたＣＮ  ＤＲＸサイクルとは異なり得る、ＵＥ１１０についてのＣＮ  ＤＲＸサイクルを選択する。いずれの場合も、コアネットワーク１３０は、「受け付けられた」指示または受け付けられたＣＮ  ＤＲＸサイクルをもつ接続受付けメッセージを返す（ステップ２）。「受け付けられた」指示は、ＵＥ１１０からの提案されたＣＮ  ＤＲＸサイクルが受け付けられたことを示し得る。受け付けられたＣＮ  ＤＲＸサイクルは、ＵＥ１１０からの提案されたＣＮ  ＤＲＸサイクルまたはコアネットワーク１３０からの選択されたＣＮ  ＤＲＸサイクルに等しいことがある。ＵＥ１１０は、接続受付けメッセージを受信し、「受け付けられた」指示または受け付けられたＣＮ  ＤＲＸサイクルを得る。「受け付けられた」指示が受信された場合、ＵＥ１１０は、受け付けられたＣＮ  ＤＲＸサイクルである、提案されたＣＮ  ＤＲＸサイクルを考慮する。ＵＥ１１０は、有効であるとして受け付けられたＣＮ  ＤＲＸサイクルを考慮し、ページングの受信に使用すべきＤＲＸサイクルを判断するためにそれを使用する（ステップ３）。
【００３３】
図４Ｂに、ＣＮ  ＤＲＸサイクルをネゴシエートするためのメッセージフロー４１０の設計を示す。ＵＥ１１０は、提案されたＣＮ  ＤＲＸサイクルをもつ接続要求メッセージをコアネットワーク１３０に送信する（ステップ１）。コアネットワーク１３０は、接続要求メッセージを受信し、コアネットワーク１３０によってサポートされない延長された値であり得る、ＵＥ１１０からの提案されたＣＮ  ＤＲＸサイクルを受け付けることができないか、または提案されたＣＮ  ＤＲＸサイクルの値を認識することができない。次いで、コアネットワーク１３０は、「受け付けられない」指示をもつ接続受付けメッセージ、またはフィードバックをもたない接続受付けメッセージを返す（ステップ２）。「受け付けられない」指示またはフィードバックなしは、（ｉ）ＵＥ１１０からの提案されたＣＮ  ＤＲＸサイクルがコアネットワーク１３０によって認識されたが、受け付けられないこと、または、（ｉｉ）ＵＥ１１０からの提案されたＣＮ  ＤＲＸサイクルがコアネットワーク１３０によって認識されず、したがって受け付けられないことを示すことができる。ＵＥ１１０は接続受付けメッセージを受信し、「受け付けられない」指示を得ることができるか、またはフィードバックを得ることができない。次いで、ＵＥ１１０は、提案されたＣＮ  ＤＲＸサイクルを無効であると見なし、ＲＡＮ  ＤＲＸサイクルを使用する（ステップ３）。
【００３４】
図４Ａおよび図４Ｂは、提案されたＣＮ  ＤＲＸサイクルが接続受付けメッセージ中で受け付けられたかどうかの指示をコアネットワーク１３０が返すことができる設計を示している。コアネットワーク１３０は、他のメッセージ中、たとえば、追跡エリア更新プロシージャおよび／または他のプロシージャのために使用されるＮＡＳメッセージ中で、この指示を送信することもできる。
【００３５】
図４Ａおよび図４Ｂは、ＵＥ１１０からの提案されたＣＮ  ＤＲＸサイクルがコアネットワーク１３０によって受け付けられたかどうかの指示をコアネットワーク１３０が返すことができる設計を示している。フィードバックを送信するこの能力は、新しいプロトコルバージョンをもつコアネットワーク１３０によってサポートできる。フィードバックは様々な形態で与えられ得る。１つの設計では、フィードバックは、提案されたＣＮ  ＤＲＸサイクルについての「受け付けられた」または「受け付けられない」のバイナリ指示を備えることができる。「受け付けられない」指示がコアネットワーク１３０から受信された場合、ＵＥ１１０は、別の提案されたＣＮ  ＤＲＸサイクルを選択し、送信し得る。別の設計では、フィードバックは、コアネットワーク１３０が受け付ける／使用することができる、受け付けられたＣＮ  ＤＲＸサイクルを備えることができる。次いで、ＵＥ１１０は、受け付けられたＣＮ  ＤＲＸサイクルを使用するか、または別の提案されたＣＮ  ＤＲＸサイクルを送信し得る。さらに別の設計では、提案されたＣＮ  ＤＲＸサイクルがコアネットワーク１３０によって受け付けられないか、または認識されない場合、コアネットワーク１３０からフィードバックがないことがある。その場合、ＵＥ１１０は、ＲＡＮ  ＤＲＸサイクルを使用するか、または別の提案されたＣＮ  ＤＲＸサイクルを送信し得る。フィードバックはまた、他の情報を備えることができる。
【００３６】
ＵＥ１１０が、ＲＡＮ  ＤＲＸサイクルよりも長いＣＮ  ＤＲＸサイクルを使用することを可能にするためのいくつかの機構に関して上記で説明した。ＤＲＸサイクルをネゴシエートするためのいくつかの機構についても上記で説明した。より長いＣＮ  ＤＲＸサイクルの使用およびＤＲＸサイクルのネゴシエーションは、他の方法でも実行できる。
【００３７】
図５に、ＵＥがページングを受信するためのプロセス５００の設計を示す。ＵＥは、ＵＥをページングするために第１のネットワークによって使用される第１のＤＲＸサイクルを判断する（ブロック５１２）。ＵＥはまた、ＵＥをページングするために第２のネットワークによって使用される第２のＤＲＸサイクルを判断する（ブロック５１４）。第１のネットワークはコアネットワークであり得、第２のネットワークはＲＡＮであり得、第１のＤＲＸサイクルはＣＮ  ＤＲＸサイクルであり得、第２のＤＲＸサイクルはＲＡＮ  ＤＲＸサイクルであり得る。第１のネットワークおよび第２のネットワークはまた、２つのＲＡＮ、２つのコアネットワーク、または同じタイプまたは異なるタイプの任意の２つのネットワークであり得る。１つの設計では、第１のＤＲＸサイクルは第１のネットワークによって特にＵＥのために使用でき、第２のＤＲＸサイクルは第２のネットワークによって第２のネットワークのカバレージ内のすべてのＵＥのために使用できる。一般に、各ＤＲＸサイクルは、ＵＥに固有であり得るか、ＵＥのグループに一般的であり得る。
【００３８】
ＵＥは、第１のＤＲＸサイクルがより長いＤＲＸサイクルであるか、第２のＤＲＸサイクルがより長いＤＲＸサイクルであるかを判断する（ブロック５１６）。ＵＥは、より長いＤＲＸサイクルに基づいて第１のネットワークおよび／または第２のネットワークからページングを受信する（ブロック５１８）。１つの設計では、ＵＥは、ＵＥが第２のＤＲＸサイクルを無視することができるかまたは考慮すべきであるかの指示を受信することができる。この指示は、第１のネットワークまたは第２のネットワークから来ることがある。第２のＤＲＸサイクルが、ＵＥによって無視でき、第１のＤＲＸサイクルよりも短い場合、ＵＥは、より長いＤＲＸサイクルを使用することができる。第２のＤＲＸサイクルが、ＵＥによって考慮されるべきであり、第１のＤＲＸサイクルよりも短い場合、ＵＥはより長いＤＲＸサイクルではなく第２のＤＲＸサイクルを使用することができる。
【００３９】
１つの設計では、ＵＥは、提案されたＤＲＸサイクルを備える第１のメッセージを第１のネットワークに送信し得る。ＵＥは、第１のメッセージに応答して第１のネットワークから第２のメッセージを受信することができる。第２のメッセージは、（ｉ）ＵＥが第２のＤＲＸサイクルを無視することができるという明示的指示（たとえば、フラグ）、（ｉｉ）ＵＥが第２のＤＲＸサイクルを考慮すべきであるという明示的指示（たとえば、フラグなし）、または（ｉｉｉ）ＵＥが第２のＤＲＸサイクルを考慮すべきであるという暗黙的指示（たとえば、フィードバックなし）を含むことができる。明示的または暗黙的指示を他の方法でＵＥに提供することもできる。第２のメッセージはまた、（ｉ）提案されたＤＲＸサイクルが第１のＤＲＸサイクルとして受け付けられたという指示、または（ｉｉ）第１のＤＲＸサイクルとして使用されるべき受け付けられたＤＲＸサイクルを含むことができる。
【００４０】
図６に、ページングを受信するための装置６００の設計を示す。装置６００は、ＵＥをページングするために第１のネットワークによって使用される第１のＤＲＸサイクルを判断するモジュール６１２と、ＵＥをページングするために第２のネットワークによって使用される第２のＤＲＸサイクルを判断するモジュール６１４と、第１のＤＲＸサイクルがより長いＤＲＸサイクルであるか第２のＤＲＸサイクルがより長いＤＲＸサイクルであるかを判断するモジュール６１６と、第１のネットワークおよび／または第２のネットワークからのページングを受信するモジュール６１８とを含む。
【００４１】
図７に、ネットワークによりページングをサポートするためのプロセス７００の設計を示す。（ｉ）ＵＥをページングするために第１のネットワークがによって使用される第１のＤＲＸサイクルと、（ｉｉ）ＵＥをページングするために第２のネットワークによって使用される第２のＤＲＸサイクルとを有する第１のメッセージをＵＥから受信する（ブロック７１２）。第１のネットワークはコアネットワークであり得、第２のネットワークはＲＡＮであり得る。第１のネットワークおよび第２のネットワークはまた、任意の２つのネットワークであり得る。第２のＤＲＸサイクルを、ＵＥが無視することができるかまたは考慮すべきであるかの指示を判断する（ブロック７１４）。指示を備える第２のメッセージをＵＥに送信する（ブロック７１６）。ＵＥは、ページングを受信するために使用すべきＤＲＸサイクルを指示に基づいて判断し得る。１つの設計では、プロセス７００は、ＵＥから第１のメッセージを受信することができ、ＵＥに第２のメッセージを送信し得る第１のネットワークによって実行できる。プロセス７００はまた、第２のネットワークまたは何らかの他のエンティティによって実行できる。
【００４２】
図８に、ネットワークによりページングをサポートするための装置８００の設計を示す。装置８００は、ＵＥから第１のメッセージを受信し、ＵＥが、ＵＥをページングするために第１のネットワークにより使用される第１のＤＲＸサイクルと、ＵＥをページングするために第２のネットワークによって使用される第２のＤＲＸサイクルとを有する、モジュール８１２と、ＵＥが第２のＤＲＸサイクルを無視することができるかまたは考慮すべきであるかの指示を判断するモジュール８１４と、ＵＥへの指示を備える第２のメッセージを送信するモジュール８１６とを含む。
【００４３】
図９に、ＤＲＸサイクルをネゴシエートするためのプロセス９００の設計を示す。ＵＥは、提案されたＤＲＸサイクルを第１のネットワークに送信する（ブロック９１２）。ＵＥは、提案されたＤＲＸサイクルが第１のネットワークによって受け付けられたかまたは受け付けられないかの指示を受信する（ブロック９１４）。ＵＥは、その指示に基づいて、ページングを受信するために使用すべきＤＲＸサイクルを判断する（ブロック９１６）。
【００４４】
ブロック９１４では、ＵＥは、提案されたＤＲＸサイクルについて第１のネットワークからフィードバックを受信しないことがある。フィードバックがないことは、提案されたＤＲＸサイクルが第１のネットワークによって受け付けられないという暗黙的指示と見なされ得る。ＵＥはまた、第１のネットワークから、受け付けられたＤＲＸサイクルを受信し得る。受け付けられたＤＲＸサイクルは、提案されたＤＲＸサイクルが、（ｉ）それが受け付けられたＤＲＸサイクルと一致する場合は受け付けられ、または（ｉｉ）それが受け付けられたＤＲＸサイクルとは異なる場合は受け付けられないという暗黙的指示と見なされ得る。
【００４５】
ＵＥはまた、ＵＥをページングするために第２のネットワークによって使用される第２のＤＲＸサイクルを判断し得る。ＵＥは、第２のＤＲＸサイクルにさらに基づいて、使用すべきＤＲＸサイクルを判断し得る。第１のネットワークはコアネットワークであり得、第２のネットワークはＲＡＮであり得る。第１のネットワークおよび第２のネットワークはまた、任意の２つのネットワークであり得る。
【００４６】
ＵＥが使用すべきＤＲＸサイクルは、提案されたＤＲＸサイクルが第１のネットワークによって受け付けられた場合、提案されたＤＲＸサイクルに基づいて判断され得る。ＵＥが使用すべきＤＲＸサイクルは、提案されたＤＲＸサイクルが第１のネットワークによって受け付けられない場合、第２のＤＲＸサイクルであり得る。ＵＥが使用すべきＤＲＸサイクルはまた、受け付けられたＤＲＸサイクルが第１のネットワークから受信された場合、受け付けられたＤＲＸサイクルに基づいて判断され得る。
【００４７】
図１０に、ＤＲＸサイクルをネゴシエートするための装置１０００の設計を示す。装置１０００は、提案されたＤＲＸサイクルをＵＥから第１のネットワークに送信するモジュール１０１２と、提案されたＤＲＸサイクルが第１のネットワークによって受け付けられたかまたは受け付けられないかの指示を受信するモジュール１０１４と、その指示に基づいて、ＵＥがページングを受信するために使用すべきＤＲＸサイクルを判断するモジュール１０１６とを含む。
【００４８】
図６、図８および図１０のモジュールは、プロセッサ、電子デバイス、ハードウェアデバイス、電子構成要素、論理回路、メモリ、ソフトウェアコード、ファームウェアコードなど、またはそれらの任意の組合せを備えることができる。
【００４９】
図１１は、ＵＥ１１０の設計、ＲＡＮ１２０中のｅＮＢ１２２、および図１中のコアネットワーク１３０中のＭＭＥ１３４のブロック図を示す。ＵＥ１１０において、エンコーダ１１１２は、アップリンク上で送信すべきトラフィックデータおよびシグナリングメッセージを受信し得る。エンコーダ１１１２は、トラフィックデータおよびシグナリングメッセージを処理（たとえば、フォーマット、符号化、およびインターリーブ）し得る。変調器（Ｍｏｄ）１１１４は、符号化トラフィックデータおよびシグナリングメッセージをさらに処理（たとえば、シンボルマッピングおよび変調）し、出力サンプルを与え得る。送信機（ＴＭＴＲ）１１２２は、出力サンプルを調整（たとえば、アナログ変換、フィルタ処理、増幅、およびアップコンバート）し、アップリンク信号を生成し、アップリンク信号はアンテナ１１２４を介してｅＮＢ  １２２に送信され得る。
【００５０】
ダウンリンク上で、アンテナ１１２４は、ｅＮＢ１２２によって送信されたダウンリンク信号を受信し得る。受信機（ＲＣＶＲ）１１２６は、アンテナ１１２４からの受信信号を調整（たとえば、フィルタ処理、増幅、周波数ダウンコンバート、およびデジタル化）し、入力サンプルを与え得る。復調器（Ｄｅｍｏｄ）１１１６は、入力サンプルを処理（たとえば、復調）して、シンボル推定を与え得る。デコーダ１１１８は、シンボル推定値を処理（たとえば、デインターリーブおよび復号）し、ＵＥ１１０に送信される復号データおよびシグナリングメッセージを与え得る。符号器１１１２、変調器１１１４、復調器１１１６、および復号器１１１８はモデムプロセッサ１１１０によって実装され得る。これらのユニットは、ＲＡＮ１２０によって使用される無線技術（たとえば、ＬＴＥ、ＷＣＤＭＡなど）に従って処理を実行することができる。
【００５１】
コントローラ／プロセッサ１１３０は、ＵＥ１１０において動作を指示することができる。コントローラ／プロセッサ１１３０はまた、図５のプロセス５００、図９のプロセス９００、および／または本明細書で説明する技術の他のプロセスを実行または指示することができる。コントローラ／プロセッサ１１３０はまた、図３Ａ、図３Ｂ、図４Ａ、および図４ＢのＵＥ１１０による処理を実行または指示することができる。メモリ１１３２は、ＵＥ１１０のプログラムコードおよびデータを記憶することができる。
【００５２】
ｅＮＢ１２２において、送信機／受信機１１３８は、ＵＥ１１０および他のＵＥとの無線通信をサポートすることができる。コントローラ／プロセッサ１１４０は、ＵＥとの通信のための様々な機能を実行することができる。アップリンク上では、ＵＥ１１０からのアップリンク信号は、アンテナ１１３６を介して受信され、受信機１１３８によって調整され、さらにコントローラ／プロセッサ１１４０によって処理されて、ＵＥ１１０によって送信されたトラフィックデータおよびシグナリングメッセージが回復され得る。ダウンリンク上では、トラフィックデータおよびシグナリングメッセージは、コントローラ／プロセッサ１１４０によって処理され、送信機１１３８によって調整されて、ダウンリンク信号が生成され、ダウンリンク信号はアンテナ１１３６を介してＵＥ１１０および他のＵＥに送信され得る。コントローラ／プロセッサ１１４０はまた、図７のプロセス７００、および／または本明細書で説明する技術の他のプロセスを実行または指示することができる。メモリ１１４２は、ｅＮＢ１２２のプログラムコードおよびデータを記憶することができる。通信（Ｃｏｍｍ）ユニット１１４４は、他のネットワークエンティティとの通信をサポートすることができる。
【００５３】
ＭＭＥ１３４において、コントローラ／プロセッサ１１５０は、ＵＥの通信サービスをサポートする様々な機能を実行することができる。コントローラ／プロセッサ１１５０はまた、図７のプロセス７００、および／または本明細書で説明する技術の他のプロセスを実行または指示することができる。コントローラ／プロセッサ１１５０はまた、図３Ａ、図３Ｂ、図４Ａ、および図４Ｂのコアネットワーク１３０による処理を実行または指示することができる。メモリ１１５２は、ＭＭＥ１３４のプログラムコードおよびデータを記憶することができる。通信ユニット１１５４は、他のネットワークエンティティとの通信をサポートすることができる。
【００５４】
図１１に、ＵＥ１１０、ｅＮＢ１２２、およびＭＭＥ１３４の簡略化された設計を示す。一般に、各エンティティは、任意の数の送信機、受信機、プロセッサ、コントローラ、メモリ、通信ユニットなどを含むことができる。
【００５５】
情報および信号は様々な異なる技術および技術のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００５６】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００５７】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００５８】
本明細書の開示に関して説明する方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【００５９】
１つまたは複数の例示的な設計では、説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標)ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００６０】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2014222883.tif 000003
【図２】
2014222883.tif 000004
【図３Ａ】
2014222883.tif 000005
【図３Ｂ】
2014222883.tif 000006
【図４Ａ】
2014222883.tif 000007
【図４Ｂ】
2014222883.tif 000008
【図５】
2014222883.tif 000009
【図６】
2014222883.tif 000010
【図７】
2014222883.tif 000011
【図８】
2014222883.tif 000012
【図９】
2014222883.tif 000013
【図１０】
2014222883.tif 000014
【図１１】
2014222883.tif 000015
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）から第１のメッセージを受信することと、前記ＵＥは、前記ＵＥをページングするために使用する第１の不連続受信（ＤＲＸ）サイクルと、前記ＵＥをページングするために使用する第２のＤＲＸサイクルとを有し、前記第１のＤＲＸサイクルは前記第２のＤＲＸサイクルよりも長く、
前記ＵＥが前記第２のＤＲＸサイクルを無視することができるかまたは考慮すべきであるかの指示を判断することと、
前記指示を備える第２のメッセージを前記ＵＥに送信することと、
前記ＵＥが前記第２のＤＲＸサイクルを無視することができるかまたは考慮すべきであるかの少なくとも一部に基づいて、前記第１のサイクル又は第２のサイクルを使用してページングを前記ＵＥに送信することとを備える、ワイヤレス通信のための方法。
【請求項２】
前記第１のＤＲＸサイクルが、第１のネットワークによって特に前記ＵＥのために使用され、前記第２のＤＲＸサイクルが、第２のネットワークによって前記第２のネットワークのカバレージ内のすべてのＵＥのために使用され、前記第１のネットワークがコアネットワークであり、前記第２のネットワークが無線アクセスネットワーク（ＲＡＮ）である、請求項１に記載の方法。
【請求項３】
前記第１のメッセージがネットワークによって受信され、前記第２のメッセージが前記ネットワークによって送信される、請求項１に記載の方法。
【請求項４】
ユーザ機器（ＵＥ）から第１のメッセージを受信するための手段と、前記ＵＥは、前記ＵＥをページングするために使用する第１の不連続受信（ＤＲＸ）サイクルと、前記ＵＥをページングするために使用する第２のＤＲＸサイクルとを有し、前記第１のＤＲＸサイクルは前記第２のＤＲＸサイクルよりも長く、
前記ＵＥが前記第２のＤＲＸサイクルを無視することができるかまたは考慮すべきであるかの指示を判断するための手段と、
前記指示を備える第２のメッセージを前記ＵＥに送信するための手段と、
前記ＵＥが前記第２のＤＲＸサイクルを無視することができるかまたは考慮すべきであるかの少なくとも一部に基づいて、前記第１のサイクル又は第２のサイクルを使用してページングを前記ＵＥに送信するための手段とを備える、ワイヤレス通信のための装置。
【請求項５】
提案された第１の不連続受信（ＤＲＸ）サイクルをユーザ機器（ＵＥ）から送信することと、
前記提案されたＤＲＸサイクルが受け付けられるかまたは受け付けられないかの指示を受信することと、
前記ＵＥをページングするために使用される前記ＤＲＸサイクルを判断することと、
１つ以上の指示及び前記第２のＤＲＸサイクルの少なくとも一部に基づいて、ページングを受信するためにＵＥによって使用される前記ＤＲＸサイクルを判断することと、
前記ＵＥによって使用されると決定された前記ＤＲＸサイクルに基づいて、ページングを受信することとを備える、ワイヤレス通信のための方法。
【請求項６】
前記第１のＤＲＸサイクルが、特に前記ＵＥのために使用され、前記第２のＤＲＸサイクルが、前記第２のネットワークのカバレージ内のすべてのＵＥのために使用され、前記第１のネットワークがコアネットワークであり、前記第２のネットワークが無線アクセスネットワーク（ＲＡＮ）である、請求項５に記載の方法。
【請求項７】
前記ＵＥが使用すべき前記ＤＲＸサイクルは、前記提案されたＤＲＸサイクルが受け付けられない場合、前記第２のＤＲＸサイクルである、請求項５に記載の方法。
【請求項８】
前記ＵＥが使用すべきＤＲＸサイクルは、前記提案されたＤＲＸサイクルが受け付けられた場合、前記提案されたＤＲＸサイクルに基づいて判断される、請求項５に記載の方法。
【請求項９】
前記指示を前記受信することが、受け付けられたＤＲＸサイクルを受信することを備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項５に記載の方法。
【請求項１０】
前記指示を前記受信することが、前記提案されたＤＲＸサイクルについてのフィードバックを受信しないことを備え、前記フィードバックがないことは、前記提案されたＤＲＸサイクルが受け付けられないことを暗黙的に示す、請求項５に記載の方法。
【請求項１１】
提案された不連続受信（ＤＲＸ）サイクルをユーザ機器（ＵＥ）から送信するための手段と、
前記提案されたＤＲＸサイクルが受け付けられたかまたは受け付けられないかの指示を受信するための手段と、
前記ＵＥをページングするために使用される第２の前記ＤＲＸサイクルを決定する手段と、
１つ以上の指示及び前記第２のＤＲＸサイクルの少なくとも一部に基づいて、ページングを受信するためにＵＥによって使用される前記ＤＲＸサイクルを判断する手段と、
前記ＵＥによって使用されると決定された前記ＤＲＸサイクルに基づいて、ページングを受信する手段とを備える、ワイヤレス通信のための装置。
【請求項１２】
前記ＵＥが使用すべき前記ＤＲＸサイクルは、前記提案されたＤＲＸサイクルが受け付けられない場合、前記第２のＤＲＸサイクルである、請求項１１に記載の装置。
【請求項１３】
前記ＵＥが使用すべき前記ＤＲＸサイクルは、前記提案されたＤＲＸサイクルが受け付けられた場合、前記提案されたＤＲＸサイクルに基づいて判断される、請求項１１に記載の装置。
【請求項１４】
前記指示を前記受信するための手段が、受け付けられたＤＲＸサイクルを受信するための手段を備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項１１に記載の装置。
【手続補正２】
【補正対象書類名】明細書
【補正対象項目名】００６０
【補正方法】変更
【補正の内容】
【００６０】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
なお、以下に、出願当初の特許請求の範囲に記載された発明を付記する。
［Ｃ１］
ユーザ機器（ＵＥ）をページングするために第１のネットワークによって使用される第１の不連続受信（ＤＲＸ）サイクルを判断することと、
前記ＵＥをページングするために第２のネットワークによって使用される第２のＤＲＸサイクルを判断することと、
前記第１のＤＲＸサイクルがより長いＤＲＸサイクルであるか、前記第２のＤＲＸサイクルがより長いＤＲＸサイクルであるかを判断することと、
前記より長いＤＲＸサイクルに基づいて、前記第１のネットワーク、または第２のネットワーク、あるいは前記第１のネットワークと前記第２のネットワークの両方からページングを受信することと
を備える、ワイヤレス通信のための方法。
［Ｃ２］
前記第１のネットワークがコアネットワークであり、前記第２のネットワークが無線アクセスネットワーク（ＲＡＮ）である、Ｃ１に記載の方法。
［Ｃ３］
前記第１のＤＲＸサイクルが、前記第１のネットワークによって特に前記ＵＥのために使用され、前記第２のＤＲＸサイクルが、前記第２のネットワークによって前記第２のネットワークのカバレージ内のすべてのＵＥのために使用される、Ｃ１に記載の方法。
［Ｃ４］
前記ＵＥが前記第２のＤＲＸサイクルを無視することができるかまたは考慮すべきであるかの指示を受信することと、
前記第２のＤＲＸサイクルが、前記ＵＥによって無視でき、前記第１のＤＲＸサイクルよりも短い場合、前記より長いＤＲＸサイクルを使用することと
をさらに備える、Ｃ１に記載の方法。
［Ｃ５］
ページングを前記受信することは、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信することを備える、Ｃ４に記載の方法。
［Ｃ６］
提案されたＤＲＸサイクルを備える第１のメッセージを前記第１のネットワークに送信することと、
前記第１のネットワークから、前記指示を備える第２のメッセージを受信することと
をさらに備える、Ｃ４に記載の方法。
［Ｃ７］
前記第２のメッセージは、前記提案されたＤＲＸサイクルが前記第１のＤＲＸサイクルとして受け付けられることを示すか、または前記第１のＤＲＸサイクルとして使用されるべき受け付けられたＤＲＸサイクルを含む、Ｃ６に記載の方法。
［Ｃ８］
提案されたＤＲＸサイクルを備える第１のメッセージを前記第１のネットワークに送信することと、
前記第１のメッセージに応答して前記第１のネットワークによって送信された第２のメッセージを受信することであって、前記第２のメッセージは、前記第２のＤＲＸサイクルが前記ＵＥによって考慮されるべきであることを暗黙的に伝えるために、フィードバックを備えない、受信することと
をさらに備える、Ｃ４に記載の方法。
［Ｃ９］
ユーザ機器（ＵＥ）をページングするために第１のネットワークによって使用される第１の不連続受信（ＤＲＸ）サイクルを判断するための手段と、
前記ＵＥをページングするために第２のネットワークによって使用される第２のＤＲＸサイクルを判断するための手段と、
前記第１のＤＲＸサイクルがより長いＤＲＸサイクルであるか、前記第２のＤＲＸサイクルがより長いＤＲＸサイクルであるかを判断するための手段と、
前記より長いＤＲＸサイクルに基づいて、前記第１のネットワーク、または第２のネットワーク、あるいは前記第１のネットワークと前記第２のネットワークの両方からページングを受信するための手段と
を備える、ワイヤレス通信のための装置。
［Ｃ１０］
前記ＵＥが前記第２のＤＲＸサイクルを無視することができるかまたは考慮すべきであるかの指示を受信するための手段と、
前記第２のＤＲＸサイクルが、前記ＵＥによって無視でき、前記第１のＤＲＸサイクルよりも短い場合、前記より長いＤＲＸサイクルを使用するための手段と
をさらに備える、Ｃ９に記載の装置。
［Ｃ１１］
ページングを前記受信するための手段は、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信するための手段を備える、Ｃ１０に記載の装置。
［Ｃ１２］
提案されたＤＲＸサイクルを備える第１のメッセージを前記第１のネットワークに送信するための手段と、
前記第１のネットワークから前記指示を備える第２のメッセージを受信するための手段であって、前記指示は、前記ＵＥが前記第２のＤＲＸサイクルを無視することができるという明示的指示、または前記ＵＥが前記第２のＤＲＸサイクルを考慮すべきであるという明示的指示、または前記ＵＥが前記第２のＤＲＸサイクルを考慮すべきであるという暗黙的指示である、受信するための手段と
をさらに備える、Ｃ１０に記載の装置。
［Ｃ１３］
ユーザ機器（ＵＥ）をページングするために第１のネットワークによって使用される第１の不連続受信（ＤＲＸ）サイクルを判断し、前記ＵＥをページングするために第２のネットワークによって使用される第２のＤＲＸサイクルを判断し、前記第１のＤＲＸサイクルがより長いＤＲＸサイクルであるか前記第２のＤＲＸサイクルがより長いＤＲＸサイクルであるかを判断し、前記より長いＤＲＸサイクルに基づいて、前記第１のネットワーク、または前記第２のネットワーク、あるいは前記第１のネットワークと前記第２のネットワークの両方からページングを受信するように構成された少なくとも１つのプロセッサを備える、ワイヤレス通信のための装置。
［Ｃ１４］
前記少なくとも１つのプロセッサが、前記ＵＥが前記第２のＤＲＸサイクルを無視することができるかまたは考慮すべきであるかの指示を受信し、前記第２のＤＲＸサイクルが、前記ＵＥによって無視でき、前記第１のＤＲＸサイクルよりも短い場合、前記より長いＤＲＸサイクルを使用するように構成された、Ｃ１３に記載の装置。
［Ｃ１５］
前記少なくとも１つのプロセッサは、前記第２のＤＲＸサイクルが、前記ＵＥによって考慮されるべきであり、前記第１のＤＲＸサイクルよりも短い場合、前記より長いＤＲＸサイクルではなく前記第２のＤＲＸサイクルに基づいてページングを受信するように構成された、Ｃ１４に記載の装置。
［Ｃ１６］
前記少なくとも１つのプロセッサが、提案されたＤＲＸサイクルを備える第１のメッセージを前記第１のネットワークに送信し、前記第１のネットワークから前記指示を備える第２のメッセージを受信するように構成され、前記指示は、前記ＵＥが前記第２のＤＲＸサイクルを無視することができるという明示的指示、または前記ＵＥが前記第２のＤＲＸサイクルを考慮すべきであるという明示的指示、あるいは前記ＵＥが前記第２のＤＲＸサイクルを考慮すべきであるという暗黙的指示である、Ｃ１４に記載の装置。
［Ｃ１７］
少なくとも１つのコンピュータに、ユーザ機器（ＵＥ）をページングするために第１のネットワークによって使用される第１の不連続受信（ＤＲＸ）サイクルを判断させるためのコードと、
前記少なくとも１つのコンピュータに、前記ＵＥをページングするために第２のネットワークによって使用される第２のＤＲＸサイクルを判断させるためのコードと、
前記少なくとも１つのコンピュータに、前記第１のＤＲＸサイクルがより長いＤＲＸサイクルであるか、前記第２のＤＲＸサイクルがより長いＤＲＸサイクルであるかを判断させるためのコードと、
前記少なくとも１つのコンピュータに、前記より長いＤＲＸサイクルに基づいて、前記第１のネットワーク、または第２のネットワーク、あるいは前記第１のネットワークと前記第２のネットワークの両方からページングを受信させるためのコードと
を備えるコンピュータ可読媒体
を備えるコンピュータプログラム製品。
［Ｃ１８］
ユーザ機器（ＵＥ）から第１のメッセージを受信することであって、前記ＵＥは、前記ＵＥをページングするために第１のネットワークによって使用される第１の不連続受信（ＤＲＸ）サイクルと、前記ＵＥをページングするために第２のネットワークによって使用される第２のＤＲＸサイクルとを有する、受信することと、
前記ＵＥが前記第２のＤＲＸサイクルを無視することができるかまたは考慮すべきであるかの指示を判断することと、
前記指示を備える第２のメッセージを前記ＵＥに送信することと
を備える、ワイヤレス通信のための方法。
［Ｃ１９］
前記第１のネットワークがコアネットワークであり、前記第２のネットワークが無線アクセスネットワーク（ＲＡＮ）である、Ｃ１８に記載の方法。
［Ｃ２０］
前記第１のメッセージが前記第１のネットワークによって受信され、前記第２のメッセージが前記第１のネットワークによって送信される、Ｃ１８に記載の方法。
［Ｃ２１］
ユーザ機器（ＵＥ）から第１のメッセージを受信するための手段であって、前記ＵＥは、前記ＵＥをページングするために第１のネットワークによって使用される第１の不連続受信（ＤＲＸ）サイクルと、前記ＵＥをページングするために第２のネットワークによって使用される第２のＤＲＸサイクルとを有する、受信するための手段と、
前記ＵＥが前記第２のＤＲＸサイクルを無視することができるかまたは考慮すべきであるかの指示を判断するための手段と、
前記指示を備える第２のメッセージを前記ＵＥに送信するための手段と
を備える、ワイヤレス通信のための装置。
［Ｃ２２］
提案された不連続受信（ＤＲＸ）サイクルをユーザ機器（ＵＥ）から第１のネットワークに送信することと、
前記提案されたＤＲＸサイクルが前記第１のネットワークによって受け付けられるかまたは受け付けられないかの指示を受信することと、
前記指示に基づいて、前記ＵＥがページングを受信するために使用すべきＤＲＸサイクルを判断することと
を備える、ワイヤレス通信のための方法。
［Ｃ２３］
前記ＵＥをページングするために第２のネットワークによって使用される第２のＤＲＸサイクルを判断することであって、前記ＵＥが使用すべき前記ＤＲＸサイクルが、前記第２のＤＲＸサイクルにさらに基づいて判断される、判断すること
をさらに備える、Ｃ２２に記載の方法。
［Ｃ２４］
前記第１のネットワークがコアネットワークであり、前記第２のネットワークが無線アクセスネットワーク（ＲＡＮ）である、Ｃ２３に記載の方法。
［Ｃ２５］
前記ＵＥが使用すべき前記ＤＲＸサイクルは、前記提案されたＤＲＸサイクルが前記第１のネットワークによって受け付けられない場合、前記第２のＤＲＸサイクルである、Ｃ２３に記載の方法。
［Ｃ２６］
前記ＵＥが使用すべきＤＲＸサイクルは、前記提案されたＤＲＸサイクルが前記第１のネットワークによって受け付けられた場合、前記提案されたＤＲＸサイクルに基づいて判断される、Ｃ２２に記載の方法。
［Ｃ２７］
前記指示を前記受信することが、前記第１のネットワークから受け付けられたＤＲＸサイクルを受信することを備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、Ｃ２２に記載の方法。
［Ｃ２８］
前記指示を前記受信することが、前記第１のネットワークから、前記提案されたＤＲＸサイクルについてのフィードバックを受信しないことを備え、前記フィードバックがないことは、前記提案されたＤＲＸサイクルが前記第１のネットワークによって受け付けられないことを暗黙的に示す、Ｃ２２に記載の方法。
［Ｃ２９］
提案された不連続受信（ＤＲＸ）サイクルをユーザ機器（ＵＥ）から第１のネットワークに送信するための手段と、
前記提案されたＤＲＸサイクルが前記第１のネットワークによって受け付けられたかまたは受け付けられないかの指示を受信するための手段と、
前記指示に基づいて、前記ＵＥがページングを受信するために使用すべきＤＲＸサイクルを判断するための手段と
を備える、ワイヤレス通信のための装置。
［Ｃ３０］
前記ＵＥをページングするために第２のネットワークによって使用される第２のＤＲＸサイクルを判断するための手段であって、前記ＵＥが使用すべき前記ＤＲＸサイクルが、前記第２のＤＲＸサイクルにさらに基づいて判断される、判断するための手段をさらに備える、Ｃ２９に記載の装置。
［Ｃ３１］
前記ＵＥが使用すべき前記ＤＲＸサイクルは、前記提案されたＤＲＸサイクルが前記第１のネットワークによって受け付けられない場合、前記第２のＤＲＸサイクルである、Ｃ３０に記載の装置。
［Ｃ３２］
前記ＵＥが使用すべき前記ＤＲＸサイクルは、前記提案されたＤＲＸサイクルが前記第１のネットワークによって受け付けられた場合、前記提案されたＤＲＸサイクルに基づいて判断される、Ｃ２９に記載の装置。
［Ｃ３３］
前記指示を前記受信するための手段が、前記第１のネットワークから受け付けられたＤＲＸサイクルを受信するための手段を備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、Ｃ２９に記載の装置。
【外国語明細書】
2014222883000001.pdf